【手続補正書】
【提出日】平成17年12月13日(2005.12.13)
【手続補正１】
【補正対象書類名】明細書
【補正対象項目名】発明の名称
【補正方法】変更
【補正の内容】
【発明の名称】電子番組表生成装置および電子番組表生成方法
【手続補正２】
【補正対象書類名】明細書
【補正対象項目名】特許請求の範囲
【補正方法】変更
【補正の内容】
【特許請求の範囲】
【請求項１】  放送予定の複数の番組の内容を示す電子番組表を生成して表示装置に表示させる電子番組表生成装置であって、
各番組の内容を事前に通知するために予め作成された番組プレビュー用データおよび番組情報を受信する受信手段と、
前記番組プレビュー用データおよび前記番組情報に基づいて複数のプレビュー動画および複数のテキスト情報を生成し、前記電子番組表における各番組の表示領域に、各番組に対応するプレビュー動画を表示して再生させるとともに、各番組に対応するテキスト情報を表示させる制御手段とを備えることを特徴とする電子番組表生成装置。
【請求項２】  前記制御手段は、前記複数のプレビュー動画を同時に再生させることを特徴とする請求項１に記載の電子番組表生成装置。
【請求項３】  前記制御手段は、前記複数のプレビュー動画のうちのいずれか１つのプレビュー動画の音声を再生させることを特徴とする請求項２に記載の電子番組表生成装置。
【請求項４】  前記複数のプレビュー動画は、それぞれ同一時刻帯の互いに異なるチャンネルの番組に対応しており、
前記制御手段は、前記複数のプレビュー動画を１つずつ順番に再生させることを特徴とする請求項１に記載の電子番組表生成装置。
【請求項５】  １つの番組に対応するプレビュー動画が複数存在し、
前記制御手段は、当該プレビュー動画を対応する番組の表示領域内に配置して表示させることを特徴とする請求項１に記載の電子番組表生成装置。
【請求項６】  前記制御手段は、１つの番組に対応する複数のプレビュー動画を時間軸に沿って配列させることを特徴とする請求項５に記載の表示装置。
【請求項７】  前記制御手段は、１つの番組に対応する複数のプレビュー動画を同時に再生させることを特徴とする請求項５または請求項６に記載の電子番組表生成装置。
【請求項８】  前記制御手段は、１つの番組に対応する複数のプレビュー動画のうちのいずれか１つのプレビュー動画の音声を再生させることを特徴とする請求項７に記載の電子番組表生成装置。
【請求項９】  前記制御手段は、１つの番組に対応する複数のプレビュー動画を１つずつ順番に再生させることを特徴とする請求項５または請求項６に記載の電子番組表生成装置。
【請求項１０】  放送予定の複数の番組の内容を示す電子番組表を生成して表示装置に表示させる電子番組表生成方法であって、
各番組の内容を事前に通知するために予め作成された番組プレビュー用データおよび番組情報を受信するステップと、
前記番組プレビュー用データおよび前記番組情報に基づいて複数のプレビュー動画および複数のテキスト情報を生成するステップと、
前記電子番組表における各番組の表示領域に、各番組に対応するプレビュー動画を表示して再生させるとともに、各番組に対応するテキスト情報を表示させるステップとを備えることを特徴とする電子番組表生成方法。
【手続補正３】
【補正対象書類名】明細書
【補正対象項目名】０００１
【補正方法】変更
【補正の内容】
【０００１】
【発明の属する技術分野】
本発明は、放送予定の複数の番組の内容を示す電子番組表を生成して表示装置に表示させる電子番組表生成装置および電子番組表生成方法に関する。
【手続補正４】
【補正対象書類名】明細書
【補正対象項目名】０００２
【補正方法】削除
【補正の内容】
【手続補正５】
【補正対象書類名】明細書
【補正対象項目名】００１６
【補正方法】変更
【補正の内容】
【００１６】
本発明は、動画付き電子番組表を表示させて視聴者に番組の内容をより詳細に知らせることで、番組の選択を容易にすることができる電子番組表生成装置および電子番組表生成方法を提供することを目的とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
【課題を解決するための手段】
上記目的を達成するために、本発明の電子番組表生成装置は、放送予定の複数の番組の内容を示す電子番組表を生成して表示装置に表示させる電子番組表生成装置であって、各番組の内容を事前に通知するために予め作成された番組プレビュー用データおよび番組情報を受信する受信手段と、前記番組プレビュー用データおよび前記番組情報に基づいて複数のプレビュー動画および複数のテキスト情報を生成し、前記電子番組表における各番組の表示領域に、各番組に対応するプレビュー動画を表示して再生させるとともに、各番組に対応するテキスト情報を表示させる制御手段とを備えることを特徴とする。
また、本発明の電子番組表生成方法は、放送予定の複数の番組の内容を示す電子番組表を生成して表示装置に表示させる電子番組表生成方法であって、各番組の内容を事前に通知するために予め作成された番組プレビュー用データおよび番組情報を受信するステップと、前記番組プレビュー用データおよび前記番組情報に基づいて複数のプレビュー動画および複数のテキスト情報を生成するステップと、前記電子番組表における各番組の表示領域に、各番組に対応するプレビュー動画を表示して再生させるとともに、各番組に対応するテキスト情報を表示させるステップとを備えることを特徴とする。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
【発明の実施の形態】
本発明の電子番組表生成装置および電子番組表生成方法の実施の形態について、図面を参照しながら説明する。本実施形態の番組情報送受信システムは、インターネット経由で番組情報を送信することにより、前述した放送電波を用いた番組情報の配信が既存放送事業者しか行えないという問題を解決するものである。また、操作者を待たせることなく各番組プレビューを再生するために、ストリーミング技術を用いる。さらに、番組情報の各コンテンツの長さを、例えば１分間に設定し、この１分間のストリーミング通信中にこのストリーミングコンテンツを再生しながらメモリに保存する。そして、１分後に通信を切断した後、メモリに保存されたコンテンツを読み出して繰り返し再生することにより、操作者にかかる通信コストを安価にする。
【手続補正１６】
【補正対象書類名】明細書
【補正対象項目名】０１４４
【補正方法】変更
【補正の内容】
【０１４４】
【発明の効果】
本発明によれば、動画付き電子番組表を表示させて視聴者に番組の内容をより詳細に知らせることで、番組の選択を容易にすることができる。
【手続補正１７】
【補正対象書類名】明細書
【補正対象項目名】０１４５
【補正方法】削除
【補正の内容】